(57)【要約】      （修正有）【課題】取付治具を用いずともカバーをハウジングに容易に取り付けることができる電源装置を提供する。【解決手段】ハウジング内にバッテリと、インバータと、を収納する電源装置であって、ハウジングには、少なくとも開口部の上部に配水用の溝部２０が形成され、開口部には、開口部を覆うカバー１２が配置され、カバー１２は、溝部２０に差し込まれる第１固定ツメ５１と、溝部２０を外側から押さえる第２固定ツメ６１と、を備えた。【選択図】図７
2018150881.tif 000002
【特許請求の範囲】
【請求項１】
ハウジング内にバッテリと、インバータと、を収納する電源装置であって、
前記ハウジングには、少なくとも開口部の上部に配水用の溝部が形成され、
前記開口部には、前記開口部を覆うカバーが配置され、
前記カバーは、前記溝部に差し込まれる第１固定ツメと、前記溝部を外側から押さえる第２固定ツメと、を備えることを特徴とする電源装置。
【請求項２】
前記第２固定ツメは、前記溝部を外側から押さえる押さえ部と、前記溝部を下方から支持する支持部と、を備えることを特徴とする請求項１に記載の電源装置。
【請求項３】
前記第１固定ツメおよび前記第２固定ツメを、あわせて少なくとも３つ備え、
前記第１固定ツメと前記第２固定ツメとは、交互に備えられ、かつ、重ならない位置に備えられることを特徴とする請求項１または請求項２に記載の電源装置。
【請求項４】
前記開口部の下部に、前記カバーの下部に係合可能な位置決め部をさらに備えることを特徴とする請求項１から請求項３のいずれか一項に記載の電源装置。
【請求項５】
前記位置決め部は、前記ハウジングの右半分側および左半分側に少なくとも１箇所ずつ備えられることを特徴とする請求項４に記載の電源装置。
【請求項６】
前記溝部は、前記ハウジングの側方にも形成され、
前記ハウジングの側方に形成される前記溝部は、前記溝部の内側から外側にかけて傾斜する傾斜部を備えることを特徴とする請求項１から請求項５のいずれか一項に記載の電源装置。
【発明の詳細な説明】
【技術分野】
【０００１】
本発明は、電源装置に関する。
【背景技術】
【０００２】
従来、例えばキャンプなどの屋外における活動や、停電時の活動を支援するため、エンジンによる電源装置が提供されている。
この種の電源装置には、例えばバッテリやインバータ等の内部装置がハウジングに収納されているものがある。このハウジングには、例えばメンテナンスを行うための開口が備えられており、この開口を覆うカバーは、固定用ボルト等の締付部品によりハウジングに固定される（例えば、特許文献１参照）。
【先行技術文献】
【特許文献】
【０００３】
【特許文献１】特許６０６９０８８号公報
【発明の概要】
【発明が解決しようとする課題】
【０００４】
しかしながら、カバーを固定用ボルト等の締付部品によりハウジングに固定する場合、固定用ボルト等の部品点数が増加するとともに、カバーをハウジングに取り付ける際に組立治具を用いて行うため、取り付け作業が煩雑となり、未だ改善の余地があった。
本発明は、上述した事情に鑑みてなされたものであり、組立治具を用いずともカバーをハウジングに容易に取り付けることができる電源装置を提供することを目的とする。
【課題を解決するための手段】
【０００５】
上記目的を達成するために、本発明は、ハウジング内にバッテリと、インバータと、を収納する電源装置であって、前記ハウジングには、少なくとも開口部の上部に配水用の溝部が形成され、前記開口部には、前記開口部を覆うカバーが配置され、前記カバーは、前記溝部に差し込まれる第１固定ツメと、前記溝部を外側から押さえる第２固定ツメと、を備えることを特徴とする。
【０００６】
また、本発明は、前記第２固定ツメは、前記溝部を外側から押さえる押さえ部と、前記溝部を下方から支持する支持部と、を備えることを特徴とする。
【０００７】
また、本発明は、前記第１固定ツメおよび前記第２固定ツメを、あわせて少なくとも３つ備え、前記第１固定ツメと前記第２固定ツメとは、交互に備えられ、かつ、重ならない位置に備えられることを特徴とする。
【０００８】
また、本発明は、前記開口部の下部に、前記カバーの下部に係合可能な位置決め部をさらに備えることを特徴とする。
【０００９】
また、前記位置決め部は、前記ハウジングの右半分側および左半分側に少なくとも１箇所ずつ備えられることを特徴とする。
【００１０】
また、本発明は、前記溝部は、前記ハウジングの側方にも形成され、前記ハウジングの側方に形成される前記溝部は、前記溝部の内側から外側にかけて傾斜する傾斜部を備えることを特徴とする。
【発明の効果】
【００１１】
本発明によれば、第１固定ツメが溝部に差し込まれ、第２固定ツメが溝部を外側から押さえるため、これら第１固定ツメと第２固定ツメとにより、溝部を介してハウジングとカバーとが固定される。そのため、組立治具を用いずとも容易にハウジングとカバーとを固定することができる電源装置を提供できる。
【図面の簡単な説明】
【００１２】
【図１】本発明の実施形態に係る電源装置の全体像を示す斜視図である。
【図２】フロントカバーを外した状態における電源装置の斜視図である。
【図３】フロントカバーを外した状態における電源装置の斜視図である。
【図４】電源装置の内部を示す斜視図である。
【図５】フロントカバーを裏面から見た斜視図である。
【図６】フロントカバーを裏面から見た斜視図である。
【図７】電源装置の断面図である。
【発明を実施するための形態】
【００１３】
以下、図面を参照して本発明の実施形態について説明する。
図１は、本発明の実施形態に係る電源装置１の全体像を示す斜視図である。図２、図３は、フロントカバー１２を外した状態における電源装置１の斜視図である。図４は、電源装置１の内部を示す斜視図である。また、図７は、電源装置１の断面図である。なお、図１に示す電源装置１において、フロントカバー１２が取り付けられている側を前方とし、バックカバー１３が取り付けられている側を後方と定義する。また、電源装置１の正面視において、高さ方向を縦方向とし、左右方向を横方向と定義する。
【００１４】
図１から図４に示すように、電源装置１は、内部に備えられるエンジン、バッテリ１７、インバータおよび燃料タンク等を収容するハウジング１１と、ハウジング１１の前方に形成される開口部１５を塞ぐフロントカバー（カバー）１２と、ハウジング１１の後方に形成される不図示の開口を塞ぐバックカバー（カバー）１３と、ハウジング１１の上部に設けられる取っ手１４と、を備える。
ハウジング１１は、取っ手１４が取り付けられるハウジング本体１１ａと、ハウジング本体１１ａの下部に備えられるアンダーカバー１１ｂと、を備える。
これらハウジング１１、フロントカバー１２、バックカバー１３およびアンダーカバー１１ｂは、樹脂により形成されている。
バックカバー１３は、複数のスリット１３ａを備える。
【００１５】
図２および図３に示すように、ハウジング１１は、前方に開口部１５を備える。この開口部１５は、正面視において四隅が湾曲するように形成されている。開口部１５の上部には、配水用の溝部２０が形成されている。
溝部２０は、開口部１５の上部全体にわたって形成されている。また、溝部２０は、開口部１５の上部から開口部１５の両側部に連続して形成されている。
【００１６】
図４および図７に示すように、溝部２０は、ハウジング本体１１ａに連続する本壁２１と、溝底部２２と、溝底部２２の前方から立ち上がる前壁２３と、この前壁２３の上部から前方に延びるカバー当接部２４と、を備える。
本壁２１と、溝底部２２と、前壁２３と、に囲まれた箇所には、空間Ｓ１が形成されている。
カバー当接部２４の高さは、ハウジング本体１１ａの上面１６の高さより低く形成されている。カバー当接部２４には、ハウジング１１とフロントカバー１２とを固定した場合に、フロントカバー１２の天井部１２ａが当接する。
【００１７】
図２に示すように、開口部１５の両側部に形成される溝部２０は、傾斜部２５を備える。この傾斜部２５は、ハウジング本体１１ａの下部に備えられる。傾斜部２５は、ハウジング本体１１ａの下部に向かうに伴い、溝底部２２が電源装置１の横方向の内側から外側に向けて傾斜するように形成されている。
【００１８】
溝部２０には、例えば、電源装置１を屋外において使用した場合に、電源装置１に降る雨水等が流れる。開口部１５の上部に形成される溝部２０に流れた雨水は、開口部１５の上部に形成される溝部２０から開口部１５の側部に形成される溝部２０に流れ、さらに、傾斜部２５に案内されることにより、電源装置１の外部に流れる。
【００１９】
図５および図６は、フロントカバー１２を裏面から見た斜視図である。
フロントカバー１２の中央上部には、パネル開口３３が設けられている。このパネル開口３３には、フロントカバー１２とハウジング１１とを固定するときに、ハウジング１１内部に設けられるパネル３４がはめ込まれる。図１または図２に示すように、パネル３４には、電源ボタン３５、コンセント孔３６が設けられている。
図５から図７に示すように、フロントカバー１２の裏面上部には、フロントカバー１２とハウジング１１とを固定する場合に溝部２０の空間Ｓ１に差し込まれる第１固定ツメ５１と、溝部２０の前壁２３を溝部２０の外側から押さえる第２固定ツメ６１と、が備えられている。
【００２０】
第１固定ツメ５１は、フロントカバー１２の天井部１２ａから下方に延出している。また、第１固定ツメ５１は、フロントカバー１２の横方向に所定の幅を備える。
【００２１】
第２固定ツメ６１は、フロントカバー１２の天井部１２ａから湾曲部１２ｂの裏面にかけて備えられている。第２固定ツメ６１は、フロントカバー１２の後方に延出している。
第２固定ツメ６１は、溝部２０の前壁２３を溝部２０の外側から押さえる押さえ部６２と、溝部２０の溝底部２２を下方から支持する支持部６３と、を備える。
押さえ部６２は、第１固定ツメ５１より前方に位置する。押さえ部６２と第１固定ツメ５１との間には、少なくとも前壁２３の厚さよりも広い間隔Ｓ２が設けられる。押さえ部６２と第１固定ツメ５１との間に前壁２３を挟み込むことにより、フロントカバー１２とハウジング１１とが固定される。このとき、第１固定ツメ５１と前壁２３とが係合するようにしてもよい。
なお、フロントカバー１２の一部である第１固定ツメ５１および第２固定ツメ６１は、樹脂により形成されている。
【００２２】
図５および図６に示すように、第１固定ツメ５１と第２固定ツメ６１とは、フロントカバー１２の横方向に交互に備えられている。また、第１固定ツメ５１と第２固定ツメ６１とは、フロントカバー１２の横方向に重ならない位置に備えられている。本実施の形態におけるフロントカバー１２は、第２固定ツメ６１、第１固定ツメ５１、第２固定ツメ６１、第１固定ツメ５１、第２固定ツメ６１の順に、５つの第１固定ツメ５１および第２固定ツメ６１を備えている。
【００２３】
なお、本実施の形態においては、第１固定ツメ５１と第２固定ツメ６１とを物理的にフロントカバー１２の横方向に交互に備えるが、必ずしもこの実施形態に限られるものではない。交互とは、例えば、第２固定ツメ６１、第１固定ツメ５１、第１固定ツメ５１、第２固定ツメ６１、第１固定ツメ５１、第１固定ツメ５１、第２固定ツメ６１、とする並びのように、フロントカバー１２を全体としてみたときに、第１固定ツメ５１と第２固定ツメ６１とをフロントカバー１２の横方向に交互に備えると評価できるものであればよい。この場合、第１固定ツメ５１および第２固定ツメ６１により、前壁２３を前後方向から安定して固定できる。
【００２４】
また、第１固定ツメ５１がフロントカバー１２の横方向に備える所定の幅は、隣に備えられる第１固定ツメ５１または第２固定ツメ６１とフロントカバー１２の横方向に重ならない範囲で任意に変更が可能である。例えば、第１固定ツメ５１を、フロントカバー１２の天井部１２ａから下方に延出するピン形状としてもよい。
【００２５】
図５に示すように、フロントカバー１２の下部には、一対の凹部１８が備えられている。この凹部１８は、フロントカバー１２の右半分側および左半分側に１箇所ずつ左右対称の位置に備えられる。
アンダーカバー１１ｂの下部には、図２に示すように、この一対の凹部１８に係合可能な一対の凸部（位置決め部）１９が備えられている。すなわち、開口部１５の下部には、一対の凸部１９が備えられている。この凸部１９は、アンダーカバー１１ｂの右半分側および左半分側に１箇所ずつ左右対称の位置に備えられる。
凸部１９は、フロントカバー１２とハウジング１１とを組立治具を使わずに固定する場合に、まずは凸部１９と凹部１８とを係合させることにより位置決めをするものである。凸部１９と凹部１８とを係合させた後、第１固定ツメ５１および第２固定ツメ６１により前壁２３を挟み込み、フロントカバー１２とハウジング１１とを固定する。
そのため、凸部１９は、フロントカバー１２とハウジング１１との固定に際し、フロントカバー１２の回動を許容する範囲の大きさを備えている。
凸部１９および凹部１８は、フロントカバー１２とハウジング１１との位置決めが可能であれば、形状を問わない。凹部１８の内部には、例えば、ばね材等を配置し、ばね材を撓ませるようにして凸部１９と凹部１８とを係合させた後、第１固定ツメ５１および第２固定ツメ６１により前壁２３を挟み込み、フロントカバー１２とハウジング１１とを固定してもよい。
【００２６】
次に、本実施形態の作用について説明する。
ハウジング１１にフロントカバー１２を固定する場合、まず、アンダーカバー１１ｂに備えられる凸部１９に、フロントカバー１２に備えられる凹部１８を係合させることにより、フロントカバー１２を位置決めする。
そして、凸部１９は、フロントカバー１２の回動を許容するため、フロントカバー１２を回動させ、フロントカバー１２の上部に備えられる第１固定ツメ５１と第２固定ツメ６１を、ハウジング本体１１ａの溝部２０に固定する。より詳細には、第２固定ツメ６１に備えられる押さえ部６２と第１固定ツメ５１との間に前壁２３を挟み込むことにより、フロントカバー１２とハウジング１１とを固定する。このとき、樹脂により形成されている天井部１２ａ、湾曲部１２ｂ、第１固定ツメ５１および第２固定ツメ６１のたわみのみにより、第１固定ツメ５１および第２固定ツメ６１と前壁２３とを固定することができる。組立治具は必要としない。
【００２７】
以上説明したように、本実施の形態による電源装置１は、ハウジング本体１１ａ（ハウジング）には、少なくとも開口部１５の上部に配水用の溝部２０が形成され、開口部１５には、開口部１５を覆うフロントカバー（カバー）１２が配置され、フロントカバー１２は、溝部２０に差し込まれる第１固定ツメ５１と、溝部２０を外側から押さえる第２固定ツメ６１と、を備える。
これによれば、溝部２０に差し込まれる第１固定ツメ５１と、溝部２０を外側から押さえる第２固定ツメ６１とにより、溝部２０を介してハウジング１１とフロントカバー１２とが固定される。
そのため、組立治具を用いずとも容易にハウジング１１とフロントカバー１２とを固定することができる電源装置１を提供できる。
また、既にハウジング本体１１ａに備えられる溝部２０を利用してフロントカバー１２をハウジング１１に固定するため、受け側の加工を要しない。
【００２８】
また、本実施の形態によれば、第２固定ツメ６１は、溝部２０を外側から押さえる押さえ部６２と、溝部２０を下方から支持する支持部６３と、を備える。
これによれば、溝部２０の前壁２３を第１固定ツメ５１および第２固定ツメ６１の押さえ部６２により両側方から挟み込むことができるうえ、さらに、第２固定ツメ６１の支持部６３により溝部２０の溝底部２２を支持するため、ハウジング１１にフロントカバー１２をより安定して固定することができる。
【００２９】
また、本実施の形態によれば、第１固定ツメ５１および第２固定ツメ６１を、あわせて少なくとも３つ備え、第１固定ツメ５１と第２固定ツメ６１とは、交互に備えられ、かつ、重ならない位置に備えられる。
これによれば、フロントカバー１２に交互に備えられる３つ以上の第１固定ツメ５１および第２固定ツメ６１により、前後方向からより安定してハウジング１１にフロントカバー１２とを固定できるとともに、第１固定ツメ５１と第２固定ツメ６１とが重ならない位置に備えられるため、フロントカバー１２製造時の型抜きが容易となる。
【００３０】
また、本実施の形態によれば、開口部１５の下部に、フロントカバー１２の下部（凹部１８）と係合可能な凸部（位置決め部）１９をさらに備える。
これによれば、まず、凸部１９を凹部１８に係合することにより、フロントカバー１２を位置決める。次に、開口部１５の上部において、溝部２０と、第１固定ツメ５１および第２固定ツメ６１と、を固定する。開口部１５の下部において、ハウジング１１とフロントカバー１２とをまずは位置決めすることができるため、組立治具を使わずとも、ハウジング１１にフロントカバー１２を容易に固定できる。
【００３１】
また、本実施の形態によれば、凸部（位置決め部）１９は、アンダーカバー（ハウジング）１１ｂの右半分側および左半分側に１箇所ずつ備えられる。
これによれば、より位置決めが容易となるため、組立治具を使わずとも、ハウジング１１にフロントカバー１２を安定して固定できる。
【００３２】
また、本実施の形態によれば、溝部２０は、ハウジング本体（ハウジング）１１ａの側方にも形成され、ハウジング本体１１ａの側方に形成される溝部２０は、溝部２０の内側から外側にかけて傾斜する傾斜部２５を備える。
これによれば、開口部１５の上部に形成される溝部２０に流れた水は、開口部１５の上部に形成される溝部２０と連続する開口部１５の側部に形成される溝部２０に流れ、さらに、傾斜部２５に案内されることにより、自然に電源装置１の外側に誘導される。そのため、開口部１５の上部に形成される溝部２０を利用して組立治具を用いず容易にハウジング１１とフロントカバー１２とを固定しつつ、ハウジング１１内部に水が浸入することを抑制可能な電源装置１を提供できる。
【００３３】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００３４】
例えば、第１固定ツメ５１および第２固定ツメ６１は、フロントカバー１２の側部に備えてもよい。この場合、第１固定ツメ５１および第２固定ツメ６１は、縦方向に交互に備えられ、かつ、縦方向に重ならない位置に備えてもよい。第１固定ツメ５１および第２固定ツメ６１は、開口部１５の側部に形成される溝部２０に固定可能となる。
【００３５】
また、例えば、第１固定ツメ５１および第２固定ツメ６１は、バックカバー１３に備えていてもよいことは勿論である。
【符号の説明】
【００３６】
１  電源装置
１１  ハウジング
１１ａ  ハウジング本体（ハウジング）
１１ｂ  アンダーカバー（ハウジング）
１２  フロントカバー（カバー）
１２ａ  天井部
１２ｂ  湾曲部
１３  バックカバー（カバー）
１５  開口部
１８  凹部
１９  凸部（位置決め部）
２０  溝部
２１  本壁
２２  溝底部
２３  前壁
２４  カバー当接部
２５  傾斜部
５１  第１固定ツメ
６１  第２固定ツメ
６２  押さえ部
６３  支持部
Ｓ１  空間
Ｓ２  間隔
【図１】
2018150881.tif 000003
【図２】
2018150881.tif 000004
【図３】
2018150881.tif 000005
【図４】
2018150881.tif 000006
【図５】
2018150881.tif 000007
【図６】
2018150881.tif 000008
【図７】
2018150881.tif 000009